(57)【要約】【課題】  コストアップや消費電力の増加を抑制しながら、映像表示装置から情報出力装置に情報を伝達することを可能とする伝達システム、この伝達システムに用いて好適な映像表示装置及び情報出力装置を提供する。【解決手段】  映像表示装置１０が、映像情報及び付加情報を受信する受信部１１と、可視光を発する光源１２と、光源１２が発する可視光が照射される表示領域１４ａを有しており、受信部１１によって受信された前記映像情報を映像フレーム毎に表示領域１４ａ上に表示する表示部１４と、前記映像フレームを切り替える周期であるフレーム周期よりも短い周期で、表示領域１４ａ上の所定領域から出射される可視光の点滅を制御する制御部１３とを備える。【選択図】  図２
2007323014.tif 000002
【特許請求の範囲】
【請求項１】
映像表示装置と、前記映像表示装置から伝達された情報を出力する情報出力装置とを含む伝達システムであって、
前記映像表示装置は、
映像情報及び付加情報を受信する受信部と、
光を発する光源と、
前記光源が発する光が照射される表示領域を有しており、前記受信部によって受信された前記映像情報を映像フレーム毎に前記表示領域上に表示する表示部と、
前記映像フレームを切り替える周期であるフレーム周期よりも短い周期で、前記表示領域上の所定領域からから出射される光の点滅を制御して、前記受信部によって受信された前記付加情報を前記情報出力装置に伝達する点滅制御部とを備えており、
前記情報出力装置は、
前記表示領域上の前記所定領域から出射される光の点滅を検出する検出部と、
前記検出部によって検出された光の点滅を変換して前記付加情報を取得する取得部と、
前記取得部によって取得された前記付加情報を出力する出力部とを備えることを特徴とする伝達システム。
【請求項２】
映像情報及び付加情報を受信する受信部と、
光を発する光源と、
前記光源が発する光が照射される表示領域を有しており、前記受信部によって受信された前記映像情報を映像フレーム毎に前記表示領域上に表示する表示部と、
前記映像フレームを切り替える周期であるフレーム周期よりも短い周期で、前記表示領域上の所定領域から出射される光の点滅を制御して、前記受信部によって受信された前記付加情報を伝達する点滅制御部とを備えることを特徴とする映像表示装置。
【請求項３】
映像情報を映像フレーム毎に表示領域上に表示する映像表示装置から伝達される情報を出力する情報出力装置であって、
前記表示領域上の所定領域から出射される光の点滅を検出する検出部と、
前記検出部によって検出された光の点滅を変換して、前記映像情報に付加された付加情報を取得する取得部と、
前記取得部によって取得された前記付加情報を出力する出力部とを備えており、
前記表示領域から出射される光は、前記映像フレームが切り替えられる周期であるフレーム周期よりも短い周期で点滅することを特徴とする情報出力装置。
【発明の詳細な説明】
【技術分野】
【０００１】
本発明は、映像表示装置から情報出力装置に対して情報を伝達可能な伝達システム、この伝達システムに用いて好適な映像表示装置及び情報出力装置に関する。
【背景技術】
【０００２】
従来、外部（放送局や配信サーバ）から映像情報を受信して、受信した映像情報を表示する表示装置が一般的に広く知られている。また、表示装置から所定情報（例えば、音声情報やテキスト情報）を取得して、取得した所定情報を出力する情報出力装置も一般的に広く知られている。
【０００３】
なお、上述した表示装置としては、テレビ、パーソナルコンピュータ、プロジェクター、モニター、携帯電話などが挙げられる。また、上述した情報出力装置としては、ヘッドフォン、ＰＤＡ、携帯電話などが挙げられる。
【０００４】
ここで、表示装置及び情報出力装置は、同軸ケーブルなどを用いて有線で接続されるケースが考えられる（例えば、特許文献１）。また、情報出力装置の持ち運びや情報出力装置の配置の自由度を高めるために、表示装置及び情報出力装置が無線技術（例えば、Ｂｌｕｅｔｏｏｔｈ（登録商標）やＩＥＥＥ８０２．１１ａ／ｂ／ｇ、ＩＥＥＥ８０２．１６ｅなど）を用いて無線で接続されるケースも考えられる。
【特許文献１】特開２００５−３１８０４９号公報（請求項３、図１など）
【発明の開示】
【発明が解決しようとする課題】
【０００５】
しかしながら、表示装置及び情報出力装置を無線で接続するためには、上述した無線技術に準拠したアンテナを表示装置及び情報出力装置に設ける必要があるため、表示装置及び情報出力装置のコストアップが生じてしまう。
【０００６】
また、表示装置及び情報出力装置を無線で接続する場合には、持ち運びの容易性の観点から、一般的に、情報出力装置はバッテリ駆動である。上述した無線技術に準拠したアンテナを用いて無線通信を行うと、情報出力装置のバッテリの消耗が著しいため、情報出力装置の駆動時間に配慮しなければならない。
【０００７】
そこで、本発明は、上述した課題を解決するためになされたものであり、コストアップや消費電力の増加を抑制しながら、映像表示装置から情報出力装置に情報を伝達することを可能とする伝達システム、この伝達システムに用いて好適な映像表示装置及び情報出力装置を提供することを目的とする。
【課題を解決するための手段】
【０００８】
本発明の第１の特徴は、映像表示装置（映像表示装置１０）と、前記映像表示装置から伝達された情報を出力する情報出力装置（情報出力装置２０）とを含む伝達システムにおいて、前記映像表示装置が、映像情報及び付加情報を受信する受信部（受信部１１）と、光を発する光源（光源１２）と、前記光源が発する光が照射される表示領域（表示領域１４ａ）を有しており、前記受信部によって受信された前記映像情報を映像フレーム毎に前記表示領域上に表示する表示部（表示部１４）と、前記映像フレーム（フレーム又はフィールド）を切り替える周期であるフレーム周期よりも短い周期で、前記表示領域上の所定領域からから出射される光の点滅を制御して、前記受信部によって受信された前記付加情報を前記情報出力装置に伝達する点滅制御部（制御部１３）とを備えており、前記情報出力装置が、前記表示領域上の前記所定領域から出射される光の点滅を検出する検出部（検出部２１）と、前記検出部によって検出された光の点滅を変換して前記付加情報を取得する取得部（制御部２２）と、前記取得部によって取得された前記付加情報を出力する出力部（出力部２３）とを備えることを要旨とする。
【０００９】
かかる特徴によれば、映像表示装置は、表示領域上の所定領域からから出射される光の点滅を制御して、映像情報とともに受信した付加情報を情報出力装置に伝達する。一方、情報出力装置は、表示領域上の所定領域から出射される光の点滅を検出して、検出した光の点滅を変換して付加情報を取得するとともに、取得した付加情報を出力する。
【００１０】
従って、伝達システムは、無線技術に準拠したアンテナを映像表示装置及び情報出力装置に設ける必要がないため、コストアップや消費電力の増加を抑制しながら、映像表示装置から情報出力装置に情報を伝達することができる。
【００１１】
また、表示領域上の所定領域から出射される光は、映像フレームを切り替える周期であるフレーム周期よりも短い周期で点滅するため、表示領域上に表示される映像情報のちらつきを抑制することができる。
【００１２】
本発明の一の特徴は、映像表示装置が、映像情報及び付加情報を受信する受信部と、光を発する光源と、前記光源が発する光が照射される表示領域を有しており、前記受信部によって受信された前記映像情報を映像フレーム毎に前記表示領域上に表示する表示部と、前記映像フレームを切り替える周期であるフレーム周期よりも短い周期で、前記表示領域上の所定領域から出射される光の点滅を制御して、前記受信部によって受信された前記付加情報を伝達する点滅制御部とを備えることを要旨とする。
【００１３】
本発明の一の特徴は、映像情報を映像フレーム毎に表示領域上に表示する映像表示装置から伝達される情報を出力する情報出力装置が、前記表示領域上の所定領域から出射される光の点滅を検出する検出部と、前記検出部によって検出された光の点滅を変換して、前記映像情報に付加された付加情報を取得する取得部と、前記取得部によって取得された前記付加情報を出力する出力部とを備えており、前記表示領域から出射される光が、前記映像フレームが切り替えられる周期であるフレーム周期よりも短い周期で点滅することを要旨とする。
【発明の効果】
【００１４】
本発明によれば、コストアップや消費電力の増加を抑制しながら、映像表示装置から情報出力装置に情報を伝達することを可能とする伝達システム、この伝達システムに用いて好適な映像表示装置及び情報出力装置を提供することができる。
【発明を実施するための最良の形態】
【００１５】
［第１実施形態］
（伝達システムの構成）
以下において、本発明の第１実施形態に係る伝達システムの構成について、図面を参照しながら説明する。図１は、本発明の第１実施形態に係る伝達システムの構成を示す図である。
【００１６】
図１に示すように、伝達システムは、映像表示装置１０（又は、携帯電話４０）と、情報出力装置２０とを含む。
【００１７】
映像表示装置１０は、外部から映像情報を受信して、受信した映像情報を表示領域１４ａ上に表示する装置である。なお、映像表示装置１０は、例えば、液晶テレビ、プラズマテレビ、バックプロジェクションテレビ、液晶モニター、ＣＲＴ（ｃａｔｈｏｄｅ  ｒａｙ  ｔｕｂｅ）モニター、パーソナルコンピュータ、プロジェクターなどである。
【００１８】
具体的には、映像表示装置１０は、放送局によって電波を介して放送される映像情報や配信サーバなどによって回線３０を介して配信される映像情報を受信して、受信した映像情報を表示する。ここで、回線３０とは、イーサネット（登録商標）や電力線（Ｐｏｗｅｒ  Ｌｉｎｅ）などの有線回線である。なお、回線３０は、ＩＥＥＥ８０２．１１ａ／ｂ／ｇやＩＥＥＥ８０２．１６ｅなどに準拠する無線回線であってもよい。
【００１９】
同様に、携帯電話４０は、外部から映像情報を受信して、受信した映像情報を表示領域４０ａ上に表示する映像表示装置である。なお、映像表示装置１０と携帯電話４０とは、同様の構成を有しているため、以下においては、映像表示装置１０を例に挙げて説明する。
【００２０】
情報出力装置２０は、映像表示装置１０から伝達された情報を出力する装置である。なお、情報出力装置２０は、例えば、ヘッドフォン２０ａ、携帯電話２０ｂ、ＰＤＡ（Ｐｅｒｓｏｎａｌ  Ｄｉｇｉｔａｌ  Ａｓｓｉｓｔａｎｔ）２０ｃなどであり、持ち運び可能であることが好ましい。
【００２１】
（映像表示装置の構成）
以下において、本発明の第１実施形態に係る映像表示装置の構成について、図面を参照しながら説明する。図２は、本発明の第１実施形態に係る映像表示装置１０の構成を示すブロック図である。
【００２２】
図２に示すように、映像表示装置１０は、受信部１１と、光源１２と、制御部１３と、表示部１４とを有する。
【００２３】
受信部１１は、放送局や配信サーバなどによって配信される映像情報を受信する。また、受信部１１は、受信した映像情報を制御部１３に入力する。なお、受信部１１は、映像情報の受信に必要なコーデック回路やモデムを有していてもよいことは勿論である。
【００２４】
受信部１１は、映像情報に加えて、映像情報に付加された付加情報を受信する。なお、付加情報とは、例えば、映像情報に対応する音声情報（例えば、日本語音声、英語音声、韓国語音声）やテキスト情報（例えば、日本語字幕、英語字幕、韓国語字幕）、本線映像以外の映像情報などである。また、受信部１１は、受信した付加情報を制御部１３に入力する。
【００２５】
光源１２は、表示部１４の表示領域１４ａに可視光を照射する。なお、光源１２は、ＬＥＤ（Ｌｉｇｈｔ  Ｅｍｉｔｔｉｎｇ  Ｄｉｏｄｅ）、蛍光管や水銀灯などである。また、光源１２の輝度は、制御部１３によって制御される。
【００２６】
制御部１３は、映像表示装置１０を統括的に制御する。例えば、制御部１３は、受信部１１から取得した映像情報を表示部１４に入力する。
【００２７】
また、制御部１３は、受信部１１から取得した付加情報に基づいて、付加情報に対応する点滅パターンを生成する。例えば、制御部１３は、付加情報がデジタル情報である場合には、「０」に対応する点滅パターン及び「１」に対応する点滅パターンを組み合わせて、付加情報に対応する点滅パターンを生成する。なお、制御部１３は、付加情報がアナログ情報である場合には、アナログ情報をデジタル情報に変換する。
【００２８】
さらに、制御部１３は、生成した点滅パターンに基づいて、表示部１４の表示領域１４ａ上の所定領域から出射される可視光の点滅を制御する。例えば、制御部１３は、表示部１４の前段又は後段に設けられた偏光板（不図示）を制御することによって、表示領域１４ａ上の所定領域から可視光を出射するか否か（すなわち、表示領域１４ａ上の所定領域から出射される可視光の点滅）を制御する。また、制御部１３は、光源１２（ＬＥＤや蛍光管など）に供給する電流を制御することによって、光源１２の点滅（すなわち、表示領域１４ａ上の所定領域から出射される可視光の点滅）を制御してもよい。なお、制御部１３は、表示領域１４ａ上の所定領域から出射される可視光の点滅を制御可能であれば、他の方法で可視光の点滅を制御してもよいことは勿論である。
【００２９】
ここで、上述した所定領域とは、表示領域１４ａ上の一部であってもよく、表示領域１４ａの全体であってもよい点に留意すべきである。
【００３０】
また、制御部１３は、表示領域１４ａ上の所定領域に表示される映像のちらつきを防止するために、映像情報を構成する映像フレームを切り替える周期（フレーム周期（例えば、１／６０秒））よりも短い周期で、表示領域１４ａ上の所定領域から出射される可視光の点滅を制御する。
【００３１】
なお、本実施形態では、映像フレームとは、表示部１４の走査方式がプログレッシブ方式である場合には、１枚の画像を構成するフレームを指しており、表示部１４の走査方式がインターレース方式である場合には、奇数段目（又は、偶数段目）の走査線のみによって構成されるフィールドを指していることに留意すべきである。
【００３２】
さらに、制御部１３は、表示領域１４ａ上の所定領域に表示される映像の輝度低下を防止するために、表示領域１４ａ上の所定領域から出射される光の点滅制御を行わない場合に比べて光源１２の輝度を上げる。例えば、制御部１３は、光源１２に供給する電流を増加させる。
【００３３】
表示部１４は、制御部１３から取得した映像情報を映像フレーム毎に表示領域１４ａ上に表示する。なお、上述したように、表示領域１４ａ上の所定領域に表示される映像（所定領域から出射する可視光）は、フレーム周期よりも短い周期で点滅する。
【００３４】
（情報出力装置の構成）
以下において、本発明の第１実施形態に係る情報出力装置の構成について、図面を参照しながら説明する。図３は、本発明の第１実施形態に係る情報出力装置２０の構成を示すブロック図である。
【００３５】
図３に示すように、情報出力装置２０は、検出部２１と、制御部２２と、出力部２３とを有する。
【００３６】
検出部２１は、表示領域１４ａ上の所定領域から出射される可視光の点滅を検出する。また、検出部２１は、検出した可視光の点滅（点滅パターン）を制御部２２に入力する。
【００３７】
制御部２２は、情報出力装置２０を統括的に制御する。例えば、制御部２２は、検出部２１から取得した点滅パターンに対応する付加情報を取得する。具体的には、制御部２２は、検出部２１から取得した点滅パターンから、「０」に対応する点滅パターン及び「１」に対応する点滅パターンを抽出して、検出部２１から取得した点滅パターンを付加情報に変換する。また、制御部２２は、取得した付加情報を出力部２３に入力する。
【００３８】
出力部２３は、制御部２２から取得した付加情報をユーザに対して出力する。なお、出力部２３は、スピーカや表示パネルなどであり、付加情報を音声情報として出力してもよく、付加情報をテキスト情報や本線映像以外の映像情報として出力してもよい。
【００３９】
（伝達システムの動作）
以下において、本発明の第１実施形態に係る伝達システムの動作について、図面を参照しながら説明する。図４は、本発明の第１実施形態に係る伝達システムの動作を示すシーケンス図である。
【００４０】
図４に示すように、ステップ１０において、映像表示装置１０は、放送局や配信サーバなどから映像情報及び付加情報を受信する。
【００４１】
ステップ１１において、映像表示装置１０は、付加情報に対応する点滅パターンを生成する。
【００４２】
ステップ１２において、映像表示装置１０は、表示部１４の表示領域１４ａ上に映像情報を表示するとともに、ステップ１１で生成された点滅パターンに従って、表示部１４の表示領域１４ａ上の所定領域から出射される可視光を点滅させる。
【００４３】
一方、ステップ１３において、情報出力装置２０は、表示部１４の表示領域１４ａ上の所定領域から出射される可視光の点滅（点滅パターン）を検出する。
【００４４】
ステップ１４において、情報出力装置２０は、ステップ１３で検出された点滅パターンを変換して付加情報を取得する。
【００４５】
ステップ１５において、情報出力装置２０は、ステップ１４で取得された付加情報を出力する。
【００４６】
（作用及び効果）
本発明の第１実施形態に係る伝達システムによれば、映像表示装置１０は、表示領域１４ａ上の所定領域からから出射される可視光の点滅を制御して、映像情報とともに受信した付加情報を情報出力装置２０に伝達する。一方、情報出力装置２０は、表示領域１４ａ上の所定領域から出射される可視光の点滅を検出して、検出した可視光の点滅を変換して付加情報を取得するとともに、取得した付加情報を出力する。
【００４７】
従って、無線技術に準拠したアンテナを映像表示装置１０及び情報出力装置２０に設ける必要がないため、コストアップや消費電力の増加を抑制しながら、映像表示装置１０から情報出力装置２０に情報を伝達することができる。
【００４８】
また、本発明の第１実施形態に係る伝達システムによれば、表示領域１４ａ上の所定領域から出射される可視光は、映像フレームを切り替える周期であるフレーム周期よりも短い周期で点滅するため、表示領域１４ａ上に表示される映像情報のちらつきを抑制することができる。
【００４９】
さらに、本発明の第１実施形態に係る伝達システムによれば、映像表示装置１０は、表示領域１４ａ上の所定領域から出射される光の点滅制御を行わない場合に比べて光源１２の輝度を上げるため、表示領域１４ａ上の所定領域に表示される映像の輝度低下を防止することができる。
【００５０】
［第２実施形態］
以下において、本発明の第２実施形態について説明する。なお、以下においては、上述した第１実施形態と第２実施形態との相違点について主として説明する。
【００５１】
具体的には、上述した第１実施形態では、付加情報の切り替えについては特に触れていないが、第２実施形態では、ユーザの操作に応じて付加情報の切り替えが可能である。
【００５２】
（映像表示装置の構成）
以下において、本発明の第２実施形態に係る映像表示装置の構成について、図面を参照しながら説明する。図５は、本発明の第２実施形態に係る映像表示装置１０の構成を示すブロック図である。なお、図５では、上述した図３と同様の構成については、同一の符号を付している点に留意すべきである。
【００５３】
図５に示すように、映像表示装置１０は、図３に示した構成と同様の構成を有している一方で、光源１２は、複数色のＬＥＤ（ＬＥＤ１２ｒ、ＬＥＤ１２ｇ、ＬＥＤ１２ｂ）によって構成されている。
【００５４】
受信部１１は、映像情報に加えて、複数種類の付加情報を受信する。ここで、複数種類の付加情報とは、例えば、映像情報の日本語音声、英語音声及び韓国語音声である。なお、複数種類の付加情報は、映像情報の日本語字幕、英語字幕及び韓国語字幕であってもよい。
【００５５】
制御部１３は、受信部１１から取得した複数種類の付加情報に基づいて、複数種類の付加情報にそれぞれ対応する複数種類の点滅パターンを生成する。また、制御部１３は、各点滅パターンを各ＬＥＤ（ＬＥＤ１２ｒ、ＬＥＤ１２ｇ及びＬＥＤ１２ｂ）に個別に割り当てる。さらに、制御部１３は、各ＬＥＤに個別に割り当てた点滅パターンに従って、各ＬＥＤ（ＬＥＤ１２ｒ、ＬＥＤ１２ｇ及びＬＥＤ１２ｂ）に供給する電流を制御して、表示部１４の表示領域１４ａ上の所定領域から出射する可視光の点滅を各色毎に制御する。
【００５６】
例えば、制御部１３は、日本語音声（付加情報）をＬＥＤ１２ｒに割り当てる。同様に、制御部１３は、英語音声（付加情報）をＬＥＤ１２ｇに割り当てるとともに、韓国語音声（付加情報）をＬＥＤ１２ｂに割り当てる。
【００５７】
ＬＥＤ１２ｒ、ＬＥＤ１２ｇ及びＬＥＤ１２ｂは、表示部１４の表示領域１４ａに各色の光をそれぞれ照射するとともに、制御部１３によって割り当てられた点滅パターンに従って点滅する。
【００５８】
（情報出力装置の構成）
以下において、本発明の第２実施形態に係る情報出力装置の構成について、図面を参照しながら説明する。図６は、本発明の第２実施形態に係る情報出力装置２０の構成を示すブロック図である。なお、図６では、上述した図４と同様の構成については、同一の符号を付している点に留意すべきである。
【００５９】
情報出力装置２０は、図４に示した構成に加えて、操作部２４を有する。また、検出部２１は、赤色の光を検出する検出部（Ｒ）２１ｒと、青色の光を検出する検出部（Ｂ）２１ｂと、緑色の光を検出する検出部（Ｇ）２１ｇとを有する。
【００６０】
検出部（Ｒ）２１ｒは、表示部１４の表示領域１４ａ上の所定領域から出射される赤色の光の点滅を検出する。また、検出部（Ｒ）２１ｒは、検出した赤色の光の点滅（赤色点滅パターン）を制御部２２に入力する。
【００６１】
検出部（Ｇ）２１ｇは、表示部１４の表示領域１４ａ上の所定領域から出射される緑色の光の点滅を検出する。また、検出部（Ｇ）２１ｇは、検出した緑色の光の点滅（緑色点滅パターン）を制御部２２に入力する。
【００６２】
検出部（Ｂ）２１ｂは、表示部１４の表示領域１４ａ上の所定領域から出射される青色の光の点滅を検出する。また、検出部（Ｂ）２１ｂは、検出した青色の光の点滅（青色点滅パターン）を制御部２２に入力する。
【００６３】
制御部２２は、各検出部２１（検出部（Ｒ）２１ｒ、検出部（Ｇ）２１ｇ及び検出部（Ｂ）２１ｂ）から取得した複数の点滅パターン（赤色点滅パターン、緑色点滅パターン及び青色点滅パターン）を変換して、複数種類の付加情報（例えば、日本語音声、英語音声及び韓国語音声）を取得する。
【００６４】
また、制御部２２は、操作部２４から取得したユーザによる切替指示に応じて、取得した複数種類の付加情報のいずれかを出力部２３に入力する。
【００６５】
操作部２４は、複数のキー群によって構成されており、ユーザによる切替指示を受付ける。また、操作部２４は、受付けたユーザによる切替指示を制御部２２に入力する。例えば、操作部２４は、出力部２３から出力される付加情報を日本語音声に切り替える指示、出力部２３から出力される付加情報を英語音声に切り替える指示、出力部２３から出力される付加情報を韓国語音声に切り替える指示などを切替指示として受付ける。
【００６６】
［第３実施形態］
以下において、本発明の第３実施形態について説明する。なお、以下においては、上述した第１実施形態と第３実施形態との相違点について主として説明する。
【００６７】
具体的には、上述した第１実施形態では特に触れていないが、第３実施形態では、情報出力装置２０は、光を発する機能を有しており、映像表示装置１０に表示される映像情報に応じてユーザが入力する情報（返信情報）を、情報出力装置２０が発する光の点滅によって映像表示装置１０に情報を伝達する。
【００６８】
（映像表示装置の構成）
以下において、本発明の第３実施形態に係る映像表示装置の構成について、図面を参照しながら説明する。図７は、本発明の第３実施形態に係る映像表示装置１０の構成を示すブロック図である。なお、図７では、上述した図３と同様の構成については、同一の符号を付している点に留意すべきである。
【００６９】
図７に示すように、映像表示装置１０は、図３に示した構成に加えて、検出部１５と、送信部１６とを有する。
【００７０】
検出部１５は、情報出力装置２０が発する光の点滅を検出して、検出した光の点滅（点滅パターン）を制御部１３に入力する。
【００７１】
制御部１３は、検出部１５から取得した点滅パターンを変換して、返信情報を取得する。なお、返信情報とは、表示部１４の表示領域１４ａ上に表示される映像情報に応じてユーザが入力する情報である。例えば、返信情報は、映像表示装置１０に表示される映像情報がクイズ番組である場合には、クイズの解答などであり、映像表示装置１０に表示される映像情報がテレビショッピング番組である場合には、ユーザが購入する商品名などである。
【００７２】
送信部１６は、制御部１３によって取得された返信情報を放送局や配信サーバなどに返信する。なお、送信部１６が返信情報を送信する宛先は、映像情報の送信元と同じであってもよく、映像情報の送信元と異なっていてもよい。
【００７３】
（情報出力装置の構成）
以下において、本発明の第３実施形態に係る情報出力装置の構成について、図面を参照しながら説明する。図８は、本発明の第３実施形態に係る情報出力装置２０の構成を示すブロック図である。なお、図８では、上述した図４と同様の構成については、同一の符号を付している点に留意すべきである。
【００７４】
図８に示すように、情報出力装置２０は、図４に示した構成に加えて、操作部２４と、発光部２５とを有する。
【００７５】
操作部２４は、複数のキー群によって構成されており、表示部１４の表示領域１４ａ上に表示される映像情報に応じてユーザが入力する返信情報を受付ける。また、操作部２４は、受付けた返信情報を制御部２２に入力する。
【００７６】
制御部２２は、操作部２４から取得した返信情報に対応する点滅パターンを生成する。例えば、制御部２２は、「０」に対応する点滅パターン及び「１」に対応する点滅パターンを組み合わせて、返信情報に対応する点滅パターンを生成する。また、制御部２２は、生成した点滅パターンに従って、発光部２５が発する光の点滅を制御する。
【００７７】
発光部２５は、映像表示装置１０に対して光を発する。なお、発光部２５が発する光は、可視光であってもよいが、これに限定されるものではない。
【００７８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７９】
例えば、表示部１４の表示領域１４ａ上の所定領域とは、映像情報に含まれる時刻表示であってもよい。具体的には、図９に示すように、表示部１４の表示領域１４ａには、映像情報の一部として時刻表示１４ｂが表示される。
【００８０】
映像表示装置１０は、この時刻表示１４ｂをフレーム周期よりも短い周期で点滅させることによって、付加情報を情報出力装置２０に伝達する。
【００８１】
また、上述した第１実施形態〜第２実施形態では、付加情報に対応する点滅パターンは、映像表示装置１０の制御部１３によって生成されるが、これに限定されるものではない。具体的には、付加情報に対応する点滅パターンは、付加情報自身に含まれていてもよい。
【００８２】
上述した実施形態では、光源が発する光は、可視光であるものとして説明したが、これに限定されるものではない。具体的には、光源が発する光は、短波長（例えば、４００ｎｍ以下）や長波長（例えば、７２０ｎｍ以上）の不可視光であってもよい。
【図面の簡単な説明】
【００８３】
【図１】本発明の第１実施形態に係る伝達システムの構成を示すブロック図である。
【図２】本発明の第１実施形態に係る映像表示装置１０の構成を示すブロック図である。
【図３】本発明の第１実施形態に係る情報出力装置２０の構成を示すブロック図である。
【図４】本発明の第１実施形態に係る伝達システムの動作を示すシーケンス図である。
【図５】本発明の第２実施形態に係る映像表示装置１０の構成を示すブロック図である。
【図６】本発明の第２実施形態に係る情報出力装置２０の構成を示すブロック図である。
【図７】本発明の第３実施形態に係る映像表示装置１０の構成を示すブロック図である。
【図８】本発明の第３実施形態に係る情報出力装置２０の構成を示すブロック図である。
【図９】本発明の実施形態に係る表示領域１４ａ上の所定領域の一例を示す図である。
【符号の説明】
【００８４】
１０・・・映像表示装置、１１・・・受信部、１２・・・光源、１３・・・制御部、１４・・・表示部、１４ａ・・・表示領域、１４ｂ・・・時刻表示、１５・・・検出部、１６・・・送信部、２０・・・情報出力装置、２１・・・検出部、２２・・・制御部、２３・・・出力部、２４・・・操作部、２５・・・発光部、３０・・・回線、４０・・・携帯電話、４０ａ・・・表示領域
【図１】
2007323014.tif 000003
【図２】
2007323014.tif 000004
【図３】
2007323014.tif 000005
【図４】
2007323014.tif 000006
【図５】
2007323014.tif 000007
【図６】
2007323014.tif 000008
【図７】
2007323014.tif 000009
【図８】
2007323014.tif 000010
【図９】
2007323014.tif 000011